(57)【要約】      （修正有）【課題】安全帯をした状態で容易に着用でき、また、種々のシチュエーションで着用できる夜間発光帯及び夜間発光帯付き安全帯を提供する。【解決手段】交差部１３から４方向に伸びる帯状基体２１〜２４と、帯状基体の一部の表面側に設けられた発光部３０、４１〜４４とからなり、発光部３０、４１〜４４は、少なくとも表面側が透光性部材からなる透明カバーと、所定の位置に配置された発光体３２と、発光体３２に電力を供給する電源部３４と、発光体３２と電源部３４とを接続する配線とを具備する。【選択図】図１
0003201203.tif 000002
【実用新案登録請求の範囲】
【請求項１】
交差部から４方向に伸びる帯状基体と、
前記帯状基体の一部の表面側に設けられた発光部とからなり、
前記発光部は、少なくとも表面側が透光性部材からなるカバー帯と、所定の位置に配置された発光体と、前記発光体に電力を供給する電源部と、前記発光体と前記電源部とを接続する配線とを具備することを特徴とする夜間発光帯。
【請求項２】
前記帯状基体には、面ファスナーを備えた固定バンドが所定の位置に設けられていることを特徴とする請求項１に記載の夜間発光帯。
【請求項３】
前記発光部は、前記発光体及び前記配線を設けたべースカバーを備え、前記ベースカバーが前記帯状基体に固着されていることを特徴とする請求項１又は２に記載の夜間発光帯。
【請求項４】
請求項１〜３の何れか一項に記載の夜間発光帯と、この夜間発光帯を取り付けた安全帯とを具備することを特徴とする夜間発光帯付き安全帯。
【考案の詳細な説明】
【技術分野】
【０００１】
本考案は、視認性がよく種々の態様で着用できる夜間発光帯及び夜間発光帯付き安全帯に関する。
【背景技術】
【０００２】
夜間の交通取り締まりや巡回道路案内の際などに警察官や案内者が着用する夜間反射チョッキが知られている（特許文献１参照）。また、発光体を用いて視認性を向上させたものがある（特許文献２参照）。このような夜間反射チョッキは、夏場など暑い時期には、着用した際の暑さ対策が問題となる。
【０００３】
一方、高所作業現場においては、落下による事故防止のために安全帯の着用が義務付けられており、一般的にはハーネス型安全帯が用いられる（特許文献３など参照）。例えば、道路のトンネル工事の際には、高所作業者には安全体の着用が義務付けられるが、夜間の工事の際には、夜間反射チョッキも着用しなければならない。
【先行技術文献】
【特許文献】
【０００４】
【特許文献１】特開平９−２６８４０６号公報
【特許文献２】特開平８−４１７０６号公報
【特許文献３】特開２００４−３２１５６２号公報
【考案の概要】
【考案が解決しようとする課題】
【０００５】
しかしながら、安全帯の背中側の首の下方にある安全ロープに係止するためにＤ環が隠れてしまうという問題がある。
本考案は上記実情に鑑みて提案されたものであり、安全帯をした状態で容易に着用でき、また、種々のシチュエーションで着用できる夜間発光帯及び夜間発光帯付き安全帯を提供することを目的とする。
【課題を解決するための手段】
【０００６】
上記課題を解決するための本考案の第１の態様は、交差部から４方向に伸びる帯状基体と、前記帯状基体の一部の表面側に設けられた発光部とからなり、前記発光部は、少なくとも表面側が透光性部材からなるカバー帯と、所定の位置に配置された発光体と、前記発光体に電力を供給する電源部と、前記発光体と前記電源部とを接続する配線とを具備することを特徴とする夜間発光帯にある。
【０００７】
かかる態様によれば、交差部を有する帯状基体に発光部を設けたので、ハーネス型安全帯に、その機能を損なうことなく容易に取り付けることができ、また、それ自体でも容易に着用でき、さらに、夜間の視認性にも優れたものである。
【０００８】
ここで、前記帯状基体には、面ファスナーを備えた固定バンドが所定の位置に設けられていることが好ましい。これによれば、安全帯に容易に固定できる。
【０００９】
また、前記発光部は、前記発光体及び前記配線を設けたべースカバーを備え、前記ベースカバーが前記帯状基体に固着されていることが好ましい。これによれば、サイズ、デザインなどが異なる種々の製品に容易に対応でき、製品設計の変更も容易であり、製造コストの低減に寄与することができる。
【００１０】
また、前記態様の夜間発光帯と、この夜間発光帯を取り付けた安全帯とを具備することを特徴とする夜間発光帯付き安全帯にある。
【考案の効果】
【００１１】
本考案によれば、交差部を有する帯状基体に発光部を設けたので、ハーネス型安全帯に、その機能を損なうことなく容易に取り付けることができ、また、それ自体でも容易に着用でき、さらに、夜間の視認性にも優れたものであるという効果を奏する。
【図面の簡単な説明】
【００１２】
【図１】一実施形態に係る夜間発光帯の正面図である。
【図２】一実施形態に係る夜間発光帯の裏面図である。
【図３】図１のＡ−Ａ′線断面図である。
【図４】着用状態の正面図である。
【図５】着用状態の背面図である。
【図６】ハーネス型安全帯に取り付けた夜間発光帯付き安全帯を示す斜視図である。
【図７】夜間発光帯付き安全帯の着用状態を示す背面図である。
【図８】夜間発光帯付き安全帯の着用状態を示す正面図である。
【考案を実施するための形態】
【００１３】
以下、図面を参照して本考案の実施形態を説明する。以下の説明は、本考案の一態様を示すものであって、本考案の要旨を逸脱しない範囲内で任意に変更可能である。なお、各図において同じ符号を付したものは同一の部材を示しており、適宜説明が省略されている。
【００１４】
図１は、本実施形態の夜間発光帯の正面図、図２には、裏面図、図３は、図１のＡ−Ａ′線断面図である。かかる夜間発光帯１０は、２本のベルト１１及び１２を交差部１３で交差させて縫い付けた基体を具備し、交差部１３から４方に伸びる第１帯状基体２１、第２帯状基体２２、第３帯状基体２３及び第４帯状基体２４を具備する。
【００１５】
ベルト１１及び１２上には、発光部３０が設けられている。発光部３０は、ベルト１１及び１２上に接着されたベースカバー３１と、ベースカバー３１上の所定の位置に配置されたＬＥＤからなる発光体３２と、発光体３２をオンオフするスイッチ３３と、発光体３２に電力を供給する電源部３４と、発光体３２、スイッチ３３及び電源部３４を接続する配線３５とを具備し、配線３５は、ベースカバー３１に内蔵するように設けている。また、発光体３２は、第１帯状基体２１、第２帯状基体２２、第３帯状基体２３及び第４帯状基体２４のそれぞれに３ずつ配置し、それぞれを第１〜第４発光部４１〜４４とし、第１帯状基体２１の第１発光部４１には、スイッチ３３を配置した。また、第１〜第４発光部４１〜４４は、表面側が、透光性を有し、防水性を備える透明樹脂フィルムからなる透明カバー３６で封止されている。なお、第１発光部４１及び第２発光部４２と、第３発光部４３及び第４発光部４４の配線同士の接続は交差部１３で行われている。
【００１６】
このように発光部３０は、ベースカバー３１を有し、ベースカバー３１に発光体３２やスイッチ３３及び配線３５を設け、これをベルト１１及び１２に固着するようにして設けられているので、サイズ、デザインなどが異なる種々の製品に容易に対応でき、製品設計の変更も容易であり、製造コストの低減に寄与することができる。
【００１７】
ここで、電源部３４は、乾電池や二次電池からなるバッテリーと、図示しない制御部とを有し、発光体３２を単に点灯する点灯モードと、所定期間おきに点滅する点滅モードとを有し、スイッチ３３で、オンオフの他、モードの切換ができるようになっている。
【００１８】
また、ベルト１１及び１２には、所定の位置に面ファスナーからなる固定ベルト４７が設けられている。固定ベルト４７は、夜間発光帯１０を、例えば、ハーネス型安全帯のベルトに固定するために用いられる。
【００１９】
なお、夜間発光帯１０は、必ずしも安全帯に取り付けて使用する必要はなく、通常の衣服、例えば、作業着の上に直接着用することもできる。
【００２０】
図４は、本実施形態の夜間発光帯の着用状態とした正面図、図５は、背面図である。この状態では、正面側に第１帯状基体２１及び第３帯状基体２３が垂れ下がり、第１発光部４１及び第３発光部４３が視認でき、また、背面側には、第２帯状基体２２及び第２帯状基体２４が垂れ下がり、第３発光部４３及び第４発光部４４が視認できる。
【００２１】
なお、この場合には、固定ベルトの他、第１〜第４帯状基体２１〜２４の端部同士を連結して着用するための腰ベルトや胸ベルトを設けてもよい。
【００２２】
図６は、ハーネス型安全帯に夜間発光帯を取り付けた状態を示し、図７及び図８は、これを実際に着用した状態を示す背面図及び正面図である。
【００２３】
ハーネス型安全帯５０は、安全ロープを係止するためにＤ環５１を具備しているが、Ｄ環５１に、夜間発光帯１０の第２帯状基体２２及び第４帯状基体２４を通し、交差部１３がハーネス型安全帯５０のＤ環５１の位置の交差部に重なるようにして、固定ベルト４７をハーネス型安全帯５０のベルトに巻き付けて固定することで、ハーネス型安全帯５０と、夜間発光帯１０とは一体的になる。よって、これを着用する際には、ハーネス型安全帯５０を着用する場合と同様であり、２回着用する必要はない。
【００２４】
また、ハーネス型安全帯５０を着用した状態で、着用したハーネス型安全帯５０に夜間発光帯１０を取り付けて着用状態としてもよい。
【００２５】
図７及び図８は着用状態であるが、夜間発光帯１０の第１発光部４１及び第３発光部４３は正面側に視認でき、第２発光部４２及び第４発光部４４は背面側に視認できる。また、ハーネス型安全帯５０のＤ環５１は、夜間発光帯１０がない場合と同様に使用できる。
【００２６】
なお、ここでは安全帯としてハーネス型安全帯５０を例示したが、夜間発光帯１０は、通常の安全帯と共に用いることができる。
【符号の説明】
【００２７】
１０  夜間発光帯、  １１、１２  ベルト、  １３  交差部、  ２１〜２４  第１〜第４帯状基体、  ３０  発光部、  ３１  ベースカバー、  ３２  発光体、  ３３  スイッチ、  ３４  電源部、  ４１〜４４  第１〜第４発光部、  ４７  固定ベルト、  ５０  ハーネス型安全帯、  ５１  Ｄ環
【図１】
0003201203.tif 000003
【図２】
0003201203.tif 000004
【図３】
0003201203.tif 000005
【図４】
0003201203.tif 000006
【図５】
0003201203.tif 000007
【図６】
0003201203.tif 000008
【図７】
0003201203.tif 000009
【図８】
0003201203.tif 000010